(57)【要約】【課題】この発明は、簡単な構成でありながらも、底面の高さを一定にして物品の梱包の自動化が容易に行えるような中仕切り材を提供することを目的とする。【解決手段】上記の課題を解決するために、本発明の中仕切り材１は、第１の仕切り部材２と第２の仕切り部材３の組合せよりなり、ａ）第１の仕切り部材２と第２の仕切り部材３はそれぞれ略長方形の垂直部２１，３１と、垂直部垂直部２１，３１の半分の幅で垂直部の底辺から水平かつ相互に逆方向に折り曲げられた２つの底部２５，２６，３５，３６を有し、ｂ）第１の仕切り部材２の垂直部２１の中央には上から切り込まれた第１のスリット２２が設けられており、ｃ）第２の仕切り部材３の垂直部３１の中央には下から切り込まれた第２のスリット３２が設けられており、ｄ）第１の仕切り部材２と第２の仕切り部材３は、第１のスリット２２と第２のスリット３２より相互に組み合わされているものである。【選択図】図１
2005263304.tif 000002
【特許請求の範囲】
【請求項１】
第１の仕切り部材と第２の仕切り部材の組合せよりなる中仕切り材であり、
ａ）第１の仕切り部材と第２の仕切り部材はそれぞれ略長方形の垂直部と、垂直部の半分の幅で垂直部の底辺から水平かつ相互に逆方向に折り曲げられた２つの底部を有し、
ｂ）第１の仕切り部材の垂直部の中央には上から切り込まれた第１のスリットが設けられており、
ｃ）第２の仕切り部材の垂直部の中央には下から切り込まれた第２のスリットが設けられており、
ｄ）第１の仕切り部材と第２の仕切り部材は、第１のスリットと第２のスリットより相互に組み合わされていることを特徴とする中仕切り材。
【請求項２】
第１のスリットと第２のスリットの少なくともいずれかの入口部に外に開口した導入部が設けられている請求項１に記載の中仕切り材。
【請求項３】
第１の仕切り部材と第２の仕切り部材の少なくともいずれかの垂直部は、上から下にかけて幅が狭くなるようなテーパーが設けられている請求項１又は請求項２に記載の中仕切り材。
【発明の詳細な説明】
【技術分野】
【０００１】
この発明は、梱包箱に複数の物品を中仕切りで仕切って梱包する技術に関するものである。
【背景技術】
【０００２】
１つの梱包箱に薬剤等の物品を複数個入れる場合に、中仕切り材で梱包箱を複数の領域に区切って、各領域に物品を収納して梱包・運搬することは広く行われている。例えば、特許文献１には仕切板を側板に強固に貼着して箱本体を区切り、薬液バックを個箱を用いることなく破損せず運搬できる薬液バッグ収納運搬箱が記載されている。
【０００３】
また、特許文献２などには、プラスチックフィルムによって補強したブランク材を折り曲げて仕切体を形成する技術が記載されている。
【特許文献１】特開２０００−１２８１５０号公報
【特許文献２】特開平６−７２４２８号公報
【発明の開示】
【発明が解決しようとする課題】
【０００４】
特許文献１や特許文献２に記載されている発明によれば、一つ梱包箱の区切って複数の商品等を梱包することができる。しかし、特許文献１の仕切り板を箱本体の側板に貼着しなければならず、作業が煩雑である。特許文献２に記載されている仕切体にしても複雑なものであるとともに、正確な仕切り位置を実現しにくい。
【０００５】
また、段ボール箱など通常使用される梱包箱は、１枚の板材を折り曲げて形成されているが、底部では２枚の板材が重なっている部分と１枚の板材の厚さしかない部分があり、通常は底面において両端部が高く中央部が低くなるような段差が生じている。このために同じ高さの物品を入れようとしても上端の高さが異なることとなる。手作業で入れる場合はこれでも問題がないが、自動化された梱包ロボットを使用とすると、正確な位置制御が行えなくなる。特許文献１や特許文献２に記載された梱包技術では、底面の高さを一定にすることについては特に記載されておらず、物品の箱詰めの自動化に適さない。従来の梱包技術においては，底面の高さを一定にするために底板を１枚敷いていたが、この場合、垂直な仕切り板に加えて底板が必要になり、仕切り部材が増えて梱包作業が複雑になるとともに、仕切り板を正確に垂直に立てることが困難である。
【０００６】
この発明は、簡単な構成でありながらも、底面の高さを一定にして物品の梱包の自動化が容易に行えるような中仕切り材を提供することを目的とする。
【課題を解決するための手段】
【０００７】
上記の課題を解決するために、本発明の中仕切り材は、第１の仕切り部材と第２の仕切り部材の組合せよりなる中仕切り材であり、
ａ）第１の仕切り部材と第２の仕切り部材はそれぞれ略長方形の垂直部と、垂直部の半分の幅で垂直部の底辺から水平かつ相互に逆方向に折り曲げられた２つの底部を有し、
ｂ）第１の仕切り部材の垂直部の中央には上から切り込まれた第１のスリットが設けられており、
ｃ）第２の仕切り部材の垂直部の中央には下から切り込まれた第２のスリットが設けられており、
ｄ）第１の仕切り部材と第２の仕切り部材は、第１のスリットと第２のスリットより相互に組み合わされていることを特徴とするものである。
これに加えて、第１のスリットと第２のスリットの少なくともいずれかの入口部に外に開口した導入部を設けてもよく、また、第１の仕切り部材と第２の仕切り部材の少なくともいずれかの垂直部に上から下にかけて幅が狭くなるようなテーパーを設けても良い。
【発明の効果】
【０００８】
本発明は、垂直な仕切り板と底板部を１枚の板材の折り曲げによって形成でき、底面の高さが一定で物品の詰め込みの自動化に適した梱包が行える中仕切り材を実現できるという効果を有する。
【発明を実施するための最良の形態】
【０００９】
この発明を実施するための最良の形態について、図面に基づいて説明する。図１は中仕切り材を示す斜視図であり、図２は第１の仕切り部材を示す斜視図、図３は第２の仕切り部材を示す斜視図である。この発明の中仕切り材１は、第１の仕切り部材２と第２の仕切り部材３の組合せよりなるものである。第１の仕切り部材２と第２の仕切り部材３とは共に、略長方形状の１枚の板材を折り曲げて形成される。板材としては、ボール紙やプラスチック加工した厚紙、プラスチックシートなど、折り曲げ加工ができて一定の強度を有するものなら広く使用できる。この例では、段ボール材を使用している。
【００１０】
第１の仕切り部材２は、略長方形の垂直部２１を有する。この垂直部２１の中央部には中心線に沿って、上側から第１のスリット２２が入れられている。第１のスリット２２の深さは垂直部２１の高さの約半分であり、幅は段ボール紙の厚さよりやや狭く設定されている。また、第１のスリットの上端部には上に向いて開口した導入部２３が設けられている。垂直部２１の左右側辺２４を垂直に構成してもよいが、ここでは垂直部２１の幅が上から下へ向かって狭くなるように側辺２４にテーパーが設けられている。
【００１１】
垂直部２１の下端には、段ボール板を図１、図２において手前側に折り曲げて形成した第１底部２５と逆方向に折り曲げられた第２底部２６が設けられている。第１底部２５と第２底部２６の幅は垂直部２１の幅のほぼ半分であり、長さは中仕切り材１が挿入される梱包箱Ｘの長さの約半分である。
【００１２】
第１の仕切り部材２は、梱包箱Ｘの底面とほぼ同形の略長方形の１枚の板材に切り込みを入れ、互いに逆方向に折り曲げて第１底部２５と第２底部２６を形成することによって作られるので、製造が容易である。しかも、第１底部２５と第２底部２６を垂直部２１に対して互いに逆方向に折り曲げているので、垂直部２１は正確に直立する。
【００１３】
第２の仕切り部材３も第１の仕切り部材２とほぼ同様に、梱包箱Ｘの底面とほぼ同形の略長方形の１枚の板材に切り込みを入れ、垂直部３１に対して互いに逆方向に折り曲げて第１底部３５と第２底部３６を形成することによって作られる。ただし、第２の仕切り部材３においては垂直部３１はその幅が梱包箱Ｘの長さと同じになるように形成される。第１底部３５と第２底部３６の長さは梱包箱Ｘの長さの約半分である。また、第２のスリット３２は垂直部３１の中心線に沿って下側より形成される。第２のスリットの下端部には下に開口した導入部３３が設けられている。ここでは垂直部３１の側辺３４は垂直であってテーパーは設けられていないが、第１の仕切り部材２のようにテーパーを設けることもできる。また、本例においては、第１底部３５を図１、図２において手前側に折り曲げ、第２底部３６を逆方向に折り曲げて形成している。
【００１４】
第１のスリット２２と第２のスリット３２をかみ合わせることによって、図１に示すように第１の仕切り部材２と第２の仕切り部材３を組合わせる。実際の梱包作業においては、まず第１の仕切り部材２を梱包箱Ｘの中に入れ、ついで第２の仕切り部材３を入れることによって２つ仕切り部材２，３が梱包箱Ｘの中で組み合わされる。第１の仕切り部材２を梱包箱Ｘの中に入れたときに、垂直部２１は正確に直立しており、また上部が広くなっている垂直部２１の側辺の上端部が梱包箱Ｘの内面に当接して第１のスリット２２も梱包箱Ｘの中心に正確に位置決めされる。さらに、各スリット２２，３２には導入部２３，３３が設けられているので、スリット同士の位置は合せやすい。
【００１５】
２つ仕切り部材２，３が組み合わされ状態では、第１底部２５，３５と第２底部２６，３６によって梱包箱Ｘの底面を覆う一定の高さの面が形成される。また、梱包箱Ｘは正確に４等分に仕切られる。このように梱包箱Ｘへの第１の仕切り部材２と第２の仕切り部材３の挿入は容易であり、自動化が容易である。もちろん、手作業においても作業は容易になるとともに、仕切りが正確に行われることに変わりはない。
【００１６】
こうして、第１の仕切り部材２と第２の仕切り部材３は取り付けられたので、各区画への物品の詰め込みは自動化された設備で正確に行うことができる。詰め込まれた各物品の高さは一定なので、上部の固定も正確かつ容易に行え、運搬中に梱包箱の中で各物品が動くことはない。
【産業上の利用可能性】
【００１７】
この発明は、簡易な構成で梱包箱を正確に仕切られるとともに一定の高さの底面を構成する中仕切り材を実現するものであり、薬剤の梱包材として利用できるほか、さまざまな物品の梱包・運搬に利用できるものである。
【図面の簡単な説明】
【００１８】
【図１】中仕切り材を示す斜視図である。
【図２】第１の仕切り部材を示す斜視図である。
【図３】第２の仕切り部材を示す斜視図である。
【符号の説明】
【００１９】
１．中仕切り材
２．第１の仕切り部材
３．第２の仕切り部材
２１，３１．垂直部
２２．第１のスリット
２３，３３．導入部
２４，３４．側辺
２５，３５．第１底部
２６，３６．第２底部
３２．第２のスリット
Ｘ．梱包箱
【図１】
2005263304.tif 000003
【図２】
2005263304.tif 000004
【図３】
2005263304.tif 000005